【手続補正書】
【提出日】平成30年4月2日(2018.4.2)
【手続補正１】
【補正対象書類名】明細書
【補正対象項目名】００７７
【補正方法】変更
【補正の内容】
【００７７】
上の詳細な説明では少なくとも１つの例示的実施形態を提示したが、数多くの変形形態が存在すると理解されるべきである。また、本明細書において説明した１つまたは複数の例示的実施形態は特許請求対象の主題の範囲、利用可能性、または構成を決して限定するものでないことも理解されるべきである。さらに、上記の詳細な説明は、当業者に対し、説明されている１つまた複数の実施形態を実施するための好都合なロードマップを提供することになる。本特許出願の出願時の時点でわかっている均等物および予想可能な均等物を含む、請求項で規定される範囲から逸脱することなく、要素の機能および構成における様々な変更形態をなし得ることが理解されるべきである。
本明細書に開示される発明は以下の態様を含む。
〔態様１〕
眼内レンズを移植する装置であって、
ピストンロッドと、
加圧ガス圧力を前記ピストンロッドにかけて、前記ピストンロッドを退避位置から伸展位置へと移動させるように構成された加圧ガス装置と、
制動媒体を含む圧縮チャンバであって、前記制動媒体は実質的に圧縮不能な流体を含み、前記制動媒体は前記ピストンロッドに、前記圧縮ガス圧力に対抗する制動圧力をかける、圧縮チャンバと、
前記制動媒体を前記圧縮チャンバから排出するように構成された通路と、
前記通路の断面積を変化させて、前記制動媒体が前記圧縮チャンバから排出される速度を制御するように構成されたスライダと、
眼内レンズ保持部分であって、動物の眼内に挿入するための眼内レンズを含み、かつ前記ピストンロッドが前記退避位置から前記伸展位置に向かって移動するときに、前記ピストンロッドが前記眼内レンズを前記眼内レンズ保持部分から押し出すように、前記ピストンロッドと整列される眼内レンズ保持部分と、
を含む、装置。
〔態様２〕
前記ピストンロッドが前記退避位置から前記伸展位置へと移動する速度は、前記制動媒体が前記圧縮チャンバから排出される速度に基づく、態様１に記載の装置。
〔態様３〕
前記通路が前記制動媒体を排水チャンバへと排出するように構成され、前記排水チャンバは前記圧縮チャンバから前記ピストンロッドにより分離される、態様１に記載の装置。
〔態様４〕
前記排水チャンバ、前記通路、および前記圧縮チャンバには前記制動媒体が満たされる、態様３に記載の装置。
〔態様５〕
眼内レンズを移植する装置であって、
ピストンロッドと、
加圧ガス圧力を前記ピストンロッドにかけて、前記ピストンロッドを退避位置から伸展位置へと移動させるように構成された加圧ガス装置と、
制動媒体を含む圧縮チャンバであって、前記制動媒体は実質的に圧縮不能な流体を含み、および前記制動媒体は前記ピストンロッドに、前記圧縮ガス圧力に対抗する制動圧力をかける、圧縮チャンバと、
前記制動媒体を前記圧縮チャンバから排出するように構成された通路と、
前記通路を開閉するように構成されたバルブと、
眼内レンズ保持部分であって、動物の眼内に挿入するための眼内レンズを含み、かつ前記ピストンロッドが前記退避位置から前記伸展位置に向かって移動するときに、前記ピストンロッドが前記眼内レンズを前記眼内レンズ保持部分から押し出すように、前記ピストンロッドと整列される眼内レンズ保持部分と、
を含む、装置。
〔態様６〕
前記バルブを制御するように構成されたスライダを含む、態様５に記載の装置。
〔態様７〕
前記スライダは、前記通路の断面積を変化させて、前記制動媒体が前記圧縮チャンバから排出される速度を制御するように構成される、態様６に記載の装置。
〔態様８〕
前記スライダは、前記スライダに圧力が加えられることに基づいて、前記通路の断面積を変更するように構成される、態様６に記載の装置。
〔態様９〕
前記通路の断面積を変化させて、前記制動媒体が前記圧縮チャンバから排出される速度を制御するように構成された第二のスライダを含む、態様６に記載の装置。
〔態様１０〕
前記通路は、前記制動媒体を排水チャンバへと排出するように構成される、態様５に記載の装置。
〔態様１１〕
前記排水チャンバは真空を含む、態様５に記載の装置。
〔態様１２〕
前記加圧ガス装置は単相ガスを含む、態様５に記載の装置。
〔態様１３〕
前記加圧ガス装置は多相ガスを含む、態様５に記載の装置。
〔態様１４〕
前記多相ガスは、ガス成分と液体成分とを含む２相ガスである、態様５に記載の装置。
〔態様１５〕
前記加圧ガス装置は、前記ピストンロッドを含む筐体内にある、態様５に記載の装置。
〔態様１６〕
前記加圧ガス装置は、前記ピストンロッドを含む筐体の外にある加圧ガス源と流体連通する管を含む、態様５に記載の装置。
〔態様１７〕
前記伸展位置から前記退避位置へと前記ピストンロッドを移動させることによって、前記制動媒体が前記通路から前記圧縮チャンバへと移動する、態様５に記載の装置。
〔態様１８〕
眼内レンズを眼内レンズカートリッジから送り出す方法であって、
ピストンロッドに加圧ガス圧力をかけるステップと、
前記ピストンロッドに、前記加圧ガス圧力に対抗する制動圧力をかけるステップと、
前記制動圧力を低下させることによって、前記ピストンロッドを移動させるステップと、
前記ピストンロッドを使用して前記眼内レンズを眼内レンズ保持部分から押し出すことによって、動物の眼内に眼内レンズを挿入するステップと、
を含む、方法。
〔態様１９〕
前記加圧ガス圧力をかける前記ステップは、加圧ガスを加圧ガス装置から放出するステップを含む、態様１８に記載の方法。
〔態様２０〕
前記制動圧力をかける前記ステップは、圧縮チャンバ内の前記ピストンロッドと接触する制動媒体を使用するステップを含み、前記制動圧力を低下させる前記ステップは、前記制動媒体を前記圧縮チャンバから排出するステップを含む、態様１８に記載の方法。
【手続補正２】
【補正対象書類名】特許請求の範囲
【補正対象項目名】全文
【補正方法】変更
【補正の内容】
【特許請求の範囲】
【請求項１】
眼内レンズを移植する装置であって、
ピストンロッドと、
加圧ガス圧力を前記ピストンロッドにかけて、前記ピストンロッドを退避位置から伸展位置へと移動させるように構成された加圧ガス装置と、
制動媒体を含む圧縮チャンバであって、前記制動媒体は実質的に圧縮不能な流体を含み、前記制動媒体は前記ピストンロッドに、前記圧縮ガス圧力に対抗する制動圧力をかける、圧縮チャンバと、
前記制動媒体を前記圧縮チャンバから排出するように構成された通路と、
前記通路の断面積を変化させて、前記制動媒体が前記圧縮チャンバから排出される速度を制御するように構成されたスライダと、
眼内レンズ保持部分であって、動物の眼内に挿入するための眼内レンズを含み、かつ前記ピストンロッドが前記退避位置から前記伸展位置に向かって移動するときに、前記ピストンロッドが前記眼内レンズを前記眼内レンズ保持部分から押し出すように、前記ピストンロッドと整列される眼内レンズ保持部分と、
を含む、装置。
【請求項２】
前記ピストンロッドが前記退避位置から前記伸展位置へと移動する速度は、前記制動媒体が前記圧縮チャンバから排出される速度に基づく、請求項１に記載の装置。
【請求項３】
前記通路が前記制動媒体を排水チャンバへと排出するように構成され、前記排水チャンバは前記圧縮チャンバから前記ピストンロッドにより分離される、請求項１に記載の装置。
【請求項４】
前記排水チャンバ、前記通路、および前記圧縮チャンバには前記制動媒体が満たされる、請求項３に記載の装置。
【請求項５】
眼内レンズを移植する装置であって、
ピストンロッドと、
加圧ガス圧力を前記ピストンロッドにかけて、前記ピストンロッドを退避位置から伸展位置へと移動させるように構成された加圧ガス装置と、
制動媒体を含む圧縮チャンバであって、前記制動媒体は実質的に圧縮不能な流体を含み、および前記制動媒体は前記ピストンロッドに、前記圧縮ガス圧力に対抗する制動圧力をかける、圧縮チャンバと、
前記制動媒体を前記圧縮チャンバから排出するように構成された通路と、
前記通路を開閉するように構成されたバルブと、
眼内レンズ保持部分であって、動物の眼内に挿入するための眼内レンズを保持するように構成され、前記ピストンロッドが前記退避位置から前記伸展位置に向かって移動するときに、前記ピストンロッドが前進するように、前記ピストンロッドと整列される眼内レンズ保持部分と、
を含む、装置。
【請求項６】
前記バルブを制御するように構成されたスライダを含む、請求項５に記載の装置。
【請求項７】
前記スライダは、前記通路の断面積を変化させて、前記制動媒体が前記圧縮チャンバから排出される速度を制御するように構成される、請求項６に記載の装置。
【請求項８】
前記スライダは、前記スライダに圧力が加えられることに基づいて、前記通路の断面積を変更するように構成される、請求項６に記載の装置。
【請求項９】
前記通路の断面積を変化させて、前記制動媒体が前記圧縮チャンバから排出される速度を制御するように構成された第二のスライダを含む、請求項６に記載の装置。
【請求項１０】
前記通路は、前記制動媒体を排水チャンバへと排出するように構成される、請求項５に記載の装置。
【請求項１１】
前記排水チャンバは真空を含む、請求項５に記載の装置。
【請求項１２】
前記加圧ガス装置は単相ガスを含む、請求項５に記載の装置。
【請求項１３】
前記加圧ガス装置は多相ガスを含む、請求項５に記載の装置。
【請求項１４】
前記多相ガスは、ガス成分と液体成分とを含む２相ガスである、請求項５に記載の装置。
【請求項１５】
前記加圧ガス装置は、前記ピストンロッドを含む筐体内にある、請求項５に記載の装置。
【請求項１６】
前記加圧ガス装置は、前記ピストンロッドを含む筐体の外にある加圧ガス源と流体連通する管を含む、請求項５に記載の装置。
【請求項１７】
前記伸展位置から前記退避位置へと前記ピストンロッドを移動させることによって、前記制動媒体が前記通路から前記圧縮チャンバへと移動する、請求項５に記載の装置。